(57)【要約】【課題】柱状体の連結に際して面倒なロー付け作業を実施する必要が無く、作業効率に優れ、且つ安価なサイズ調節可能なアクセサリーを提供する。【解決手段】ベルト状部材２０は、平行に複数配置された柱状体２１と、隣接する柱状体２１間に設置された球状のスペーサ２２と、これら柱状体２１やスペーサ２２をベルト状に結ぶワイヤ２３とから構成されている。【選択図】図１
0003169879.tif 000002
【実用新案登録請求の範囲】
【考案の詳細な説明】
【技術分野】
【０００１】  本考案は、サイズ調節可能な指輪やブレスレット、ネックレスなど、サイズ調節用のベルト状部材を有するサイズ調節可能アクセサリーに係り、特に、前記ベルト状部材の構造に改良を加えたサイズ調節可能アクセサリーに関する。
【背景技術】
【０００２】  従来から、ベルト状部材によってサイズ調節を可能とするアクセサリーが提案されている。例えば出願人は先に、図４〜図７に示すようなサイズ調節可能な指輪を出願した（特許文献１）。図４はサイズ調節可能な指輪を伸ばした状態の平面図、図５および図６は従来のサイズ調節可能な指輪の側面図、図７は従来のサイズ調節可能な指輪の斜視図である。【０００３】  図４〜図７に示すように、指輪には、指輪本体となるベルト状部材１が設けられている。ベルト状部材１は、柱状体であるパイプ１１が所定の間隔を持って平行に複数配置され、これらパイプ１１の両端がボールチェーン１２によって連結されている。ベルト状部材１の一端部にはヘッド部２が取り付けられ、ヘッド部２にはベルト状部材１を挿通可能な開口部３が形成されている。また、ヘッド部２にはパイプ１１同士の間に嵌込み可能な係合爪４（図５および図６に図示）が回動自在に設置されている。【０００４】  以上の指輪では、ヘッド部２の下側を通るようにして開口部３からベルト状部材１を挿入し、ベルト状部材１をリング状とする。この時、開口部３に挿通するベルト状部材１の長さを調整することにより、指輪のサイズを調節することができる（図５参照）。さらに、ヘッド部２に設けた係合爪４をベルト状部材１のパイプ１１同士の間に嵌め込むことで、指輪のサイズを固定する（図６、図７参照）。【０００５】  このようにしてサイズが固定された状態で、指輪が指に装着されると、ヘッド部２下側に位置するベルト状部材１が指によって押さえつけられる。したがって、指に装着されている限り、係合爪４がベルト状部材１から外れてベルト状部材１が緩むことがなく、指輪が指から外れる心配も無い。
【先行技術文献】
【特許文献】
【０００６】
【特許文献１】登録実用新案第３１０１８４９号
【考案の開示】
【考案が解決しようとする課題】
【０００７】  ところで、上記のサイズ調節可能な指輪では、各パイプ１１の両端部に、ボールチェーン１２のボール部分をロー付けすることで連結している。すなわち、隣接するパイプ１１同士が、前記ボールによって所定の間隔を持ちつつ、ボールチェーン１２を介して繋げることでベルト状部材１を構成している。【０００８】  ベルト状部材１は、指に対してスムーズに巻き付くことが重要なので、ベルト状部材１のしなやかさを損なうことが無いよう、パイプ１１とボールチェーン１２のロー付け作業には熟練した技術が不可欠であり、面倒である。しかもパイプ２を一つずつボールチェーン３にロー付けするので、作業時間が長期化した。したがって、ベルト状部材１の作業効率が低く、生産コストの高騰化を招いていた。このような課題は、サイズ調節可能な指輪に限らず、ロー付け作業を伴うベルト状部材を適用したアクセサリーであれば、共通の問題となっている。【０００９】  本考案は、上記の課題を解消するために提案されたものであり、作業効率を高めて製造コストの低減化を図ったサイズ調節可能なアクセサリーを提供することを目的としている。
【課題を解決するための手段】
【００１０】  上記の目的を達成するために、本考案は、複数の柱状体からなるベルト状部材が設けられ、前記ベルト状部材の一端部にはヘッド部が取り付けられ、前記ヘッド部には前記ベルト状部材が挿通可能な開口部が形成され、前記ヘッド部には前記柱状体同士の間に嵌込み可能な係合爪が回動自在に設置されたサイズ調節可能なアクセサリーにおいて、隣接する前記柱状体の間にはスペーサが設置され、前記柱状体および前記スペーサには貫通孔が形成され、前記貫通孔にワイヤ状部材が通されることにより複数の前記柱状体および前記スペーサが一体的にベルト状に連結されて前記ベルト状部材が構成され、前記柱状体に前記ワイヤ状部材を固定するための固定部材が設置されたことを特徴とするものである。
【考案の効果】
【００１１】  本考案によれば、貫通孔にワイヤを通して柱状体を連結することでベルト状部材を構成するため、柱状体の連結に際して面倒なロー付け作業を実施する必要が無く、作業効率に優れ、且つ安価なサイズ調節可能なアクセサリーを提供することができる。
【図面の簡単な説明】
【００１２】
【図１】  本考案の代表的な実施形態の要部断面図。
【図２】  本実施形態の要部拡大断面図。
【図３】  本実施形態を伸ばした状態の平面図。
【図４】  従来のサイズ調節可能な指輪を伸ばした状態の平面図。
【図５】  従来のサイズ調節可能な指輪の側面図（係合爪の固定前）。
【図６】  従来のサイズ調節可能な指輪の側面図（係合爪の固定後）。
【図７】  従来のサイズ調節可能な指輪の斜視図。
【考案を実施するための形態】
【００１３】（１）代表的な実施形態の構成
以下、本考案に係る代表的な実施形態について、図１〜図３を参照して具体的に説明する。図１は本実施形態の要部断面図、図２は本実施形態の要部拡大断面図、図３は本実施形態を伸ばした状態の平面図である。なお、本実施形態は、図４〜図７に示した従来例と同じく、サイズ調節可能な指輪に関するものである。そのため、図４〜図７の従来例と同一の部材に関しては同一符号を付して説明は省略する。
【００１４】［全体構成］
図１に示すように、本実施形態に係るサイズ調節可能な指輪には、従来例と同様、開口部３および係合爪４を有するヘッド部２が設けられており、ヘッド部２にベルト状部材２０が連結されている。このベルト状部材２０が本実施形態の主要部であって、平行に複数配置された柱状体２１と、隣接する柱状体２１間に設置された球状のスペーサ２２と、これら柱状体２１やスペーサ２２をベルト状に結ぶワイヤ２３とから構成されている。
【００１５】［柱状体２１］
ベルト状部材２０を構成する要素のうち、まず柱状体２１について説明する。ベルト状部材２０が複数の柱状体から構成される点は従来例と変わりは無いが、本実施形態の柱状体２１は、従来のようなパイプ１１ではなく、中実の線状部材からなる。
【００１６】  図２に示すように、柱状体２１の左右側縁部の両端部には、半球状に凹んだ凹部２１ａ、２１ａが設けられている。また、柱状体２１には左右の凹部２１ａ、２１ａを貫通して、つまり柱状体２１の長手方向と直交して、ワイヤ２３が挿通可能な貫通孔２１ｂが形成されている。
【００１７】  ベルト状部材２０において、最もヘッド部２寄りの柱状体２１には、中空の連結パイプ１８が固定されている。連結パイプ１８には連結ピン１７が挿入されるようになっている。また、連結パイプ１８の中央部にはヘッド部２の取付部１８ａが開口されている。
【００１８】  ベルト状部材２０において、ヘッド部２とは反対側に位置する柱状体２１には、中空のエンドパイプ１９が配置されている。エンドパイプ１９の上面部および下面部には楔部材１６が打たれるようになっている。エンドパイプ１９の側縁部の両端部にはワイヤ２３が挿通可能な貫通孔１９ａが形成されている。
【００１９】［スペーサ２２］
スペーサ２２は、隣接する柱状体２１間に設置されるが、スペーサ２２の曲面は柱状体２１の凹部２１ａに収まるように形成されている。また、スペーサ２２の中心部にはワイヤ２３が挿通可能な貫通孔２２ａが形成されている。
【００２０】［指輪の組立作業］
本実施形態では、柱状体２１、スペーサ２２、連結パイプ１８およびエンドパイプ１９に対し、ワイヤ２３を次のように通すことで、ベルト状部材２０を組立てている。まずはワイヤ２３を細長いＵ字状とし、連結パイプ１８付きの柱状体２１の貫通孔２１ｂにワイヤ２３を通す。その際、連結パイプ１８の内面部にワイヤ２３を通すようにする。
【００２１】  続いて、柱状体２１およびスペーサ２２の貫通孔２１ｂ、２２ａに対しワイヤ２３を順次差し込んでいく。この時、柱状体２１の凹部２１ａにスペーサ２２の一部が当接する。最後にエンドパイプ１９の貫通孔１９ａをワイヤ２３に入れる。そして、柱状体２１、スペーサ２２およびエンドパイプ１９をヘッド部２側に寄せ、互いに隣接する部材同士を密着させる。
【００２２】  ここで、連結パイプ１８の取付部１８ａにヘッド部２をセットし、連結パイプ１８に連結ピン１７を挿入することで、ヘッド部２とベルト状部材２０とを連結する。なお、連結パイプ１８に挿入した連結ピン１７は、連結パイプ１８内部に位置するワイヤ２３を柱状体２１側に押しつけるので、細長いＵ字状となったワイヤ２３の端部を固定することができる。最終的に、エンドパイプ１９の上面部および下面部に楔部材１６を打ち、ワイヤ２３をエンドパイプ１９に固定して、エンドパイプ１９から出た余分なワイヤ２３を処分する。
【００２３】（２）代表的な実施形態の作用効果
以上のような構成を有する本実施形態では、従来のようにパイプ１１の両端部にボールチェーン１２をロー付けする作業が不要である。しかも、柱状体２１やスペーサ２２の貫通孔２１ｂ、２２ａにワイヤ２３を通すといった極めて簡単な作業によって、ベルト状部材２０を組み立てることが可能である。
【００２４】  したがって、作業時間の短縮化を図り、作業効率を大幅に高めることができる。これにより、生産コストを低減化して、経済的に優れたサイズ調節可能な指輪を提供することができる。さらに、本実施形態においては、球状のスペーサ２２が柱状体２１の凹部２１ａに収まるため、ベルト状部材２０は、十分なしなやかさを持つことができ、指にフィットする。したがって、指輪としての付け心地の良さを確保することができる。
【００２５】（３）他の実施形態
なお、本考案は、上記の実施形態に限定されるものではなく、各部材の形状や寸法、個数などは適宜選択可能である。また本考案は、ベルト状部材にてサイズ調節を実現するアクセサリーであるならば、指輪に限らず、ブレスレットやネックレス、さらには時計などのバンドなどにも適用可能である。
【符号の説明】
【００２６】１、２０…ベルト状部材
２…ヘッド部
３…開口部
４…係合爪
１１…パイプ
１２…ボールチェーン
１６…楔部材
１７…連結ピン
１８…連結パイプ
１８ａ…取付部
１９…エンドパイプ
１９ａ、２１ｂ、２２ａ…貫通孔
２１…柱状体
２１ａ…凹部
２２…スペーサ
２３…ワイヤ
【図１】
0003169879.tif 000003
【図２】
0003169879.tif 000004
【図３】
0003169879.tif 000005
【図４】
0003169879.tif 000006
【図５】
0003169879.tif 000007
【図６】
0003169879.tif 000008
【図７】
0003169879.tif 000009
【手続補正書】
【提出日】平成23年2月2日(2011.2.2)
【手続補正１】
【補正対象書類名】実用新案登録請求の範囲
【補正対象項目名】全文
【補正方法】変更
【補正の内容】
【実用新案登録請求の範囲】
【請求項１】
複数の柱状体を平行に配置してなるベルト状部材が設けられ、前記ベルト状部材の一端部には略半円状のヘッド部が取り付けられ、前記ヘッド部には前記ベルト状部材が挿通可能な略楕円状の開口部が形成され、前記ヘッド部には前記柱状体同士の間に嵌込み可能な係合爪が回動自在に設置されたサイズ調節可能なアクセサリーにおいて、
隣接する前記柱状体の間には球状のスペーサが設置され、
前記柱状体および前記スペーサには線状のワイヤが貫通可能な貫通孔が形成され、
前記貫通孔に前記ワイヤが通されることにより複数の前記柱状体および前記スペーサが一体的にベルト状に連結されて前記ベルト状部材が構成され、
前記柱状体には前記ワイヤ状部材を固定するための楔状の固定部材が設置されたことを特徴とするサイズ調節可能なアクセサリー。
【手続補正書】
【提出日】平成23年5月30日(2011.5.30)
【手続補正１】
【補正対象書類名】実用新案登録請求の範囲
【補正対象項目名】全文
【補正方法】変更
【補正の内容】
【実用新案登録請求の範囲】
【請求項１】
複数の柱状体を平行に配置してなるベルト状部材が設けられ、前記ベルト状部材の一端部には略半円状のヘッド部が取り付けられ、前記ヘッド部には前記ベルト状部材が挿通可能な略楕円状の開口部が形成され、前記ヘッド部には前記柱状体同士の間に嵌め込み可能な係合爪が回動自在に設置されたサイズ調節可能なアクセサリーにおいて、
隣接する前記柱状体の間には球状のスペーサが設置され、
前記柱状体および前記スペーサには線状のワイヤが貫通可能な貫通孔が形成され、
前記貫通孔に前記ワイヤが通されることにより複数の前記柱状体および前記スペーサが一体的にベルト状に連結されて前記ベルト状部材が構成され、
前記ベルト状部材において前記ヘッド部が取り付けられた端部と反対側の端部に位置する前記柱状体は、中空のパイプ状部材から構成され、
前記パイプ状部材の中空部分に対し前記ワイヤを固定するための楔状の固定部材が打たれたことを特徴とするサイズ調節可能なアクセサリー。